(57)【要約】【課題】  安全かつ容易に設定できる無線通信システムを提供する。【解決手段】  送信信号の出力レベルを低下させるとともに受信信号の信号レベルが所定値よりも小さな受信データを破棄するように設定して第１のシステム情報による通信可能状態として（ＳＴ１、ＳＴ２）、第１の通信装置と第２の通信装置との間で第１のシステム情報による接続処理が開始されると（ＳＴ３、ＳＴ４）、第１の通信装置が認証情報を生成してユーザに認識可能に提示し（ＳＴ５）、ユーザが第２の通信装置に認証情報を入力すると（ＳＴ７）、入力された認証情報を第１の通信装置に送信し（ＳＴ８）、第１の通信装置で自身の生成した認証情報と受信した認証情報を参照することにより認証処理が行われ（ＳＴ９）、第１の通信装置により送られてくる第２のシステム情報を受信し（ＳＴ１０）、第１の通信装置および第２の通信装置が第２のシステム情報を設定して第２のシステム情報に基づくデータ通信を行う。【選択図】  図５
2007036734.tif 000002
【特許請求の範囲】
【請求項１】
所定のシステム情報を通信装置に設定することによって、複数の通信装置間で所定の通信規格に従った通信を行うようになされた通信システムであって、
システム情報を設定して通信を可能にする通信制御手段と、上記通信制御手段により設定されたシステム情報に基づく通信を行う通信手段と、通信を行う際の認証情報を生成する認証情報生成手段と、認証情報をユーザに認識可能に提示する認証情報提示手段と、上記認証情報提示手段により提示した認証情報に基づく認証処理を行う認証処理手段とからなる第１の通信装置と、
システム情報を設定して通信を可能にする通信制御手段と、上記通信制御手段により設定されたシステム情報に基づく通信を行う通信手段と、認証情報を入力するための認証情報入力手段とからなる第２の通信装置とを備え、
上記第１の通信装置は、上記通信制御手段により、送信信号の出力レベルを低下させるとともに受信信号の信号レベルが所定値よりも小さな受信データを破棄するように設定し、共通のシステム情報を設定して上記通信手段を通信可能状態とし、上記第２の通信装置から共通のシステム情報に基づく通信により送られてくる接続開始を示す信号を上記通信手段を介して受信すると、上記認証情報生成手段により認証情報を生成して上記認証情報提示手段によりユーザに認識可能に提示し、上記第２の通信装置から共通のシステム情報に基づく通信により上記通信手段を介して送られてくる認証情報と上記提示した認証情報による認証処理を上記認証処理手段により行い、上記認証処理手段により認証された上記第２の通信装置に共通のシステム情報に基づく通信により新たなシステム情報を上記通信手段を介して送信し、送信した新たなシステム情報を設定して当該新たなシステム情報に基づく通信を上記第２の通信装置との間で上記通信手段を介して行い、
上記第２の通信装置は、上記通信制御手段により、送信信号の出力レベルを低下させるとともに受信信号の信号レベルが所定値よりも小さな受信データを破棄するように設定し、共通のシステム情報を設定して上記通信手段を通信可能状態とし、共通のシステム情報に基づく通信により接続開始を示す信号を上記通信手段を介して上記第１の通信装置に送信し、上記認証情報入力手段により認証情報が入力されると、上記通信手段を介して上記第１の通信装置に送信し、上記第１の通信装置により上記認証情報に基づき認証されて送られてくる新たなシステム情報を上記通信手段を介して受信し、受信した新たなシステム情報を設定して当該新たなシステム情報に基づく通信を上記第２の通信装置との間で上記通信手段を介して行うこと
を特徴とする通信システム。
【請求項２】
上記システム情報及び上記認証情報は、ネットワーク内で共通の当該ネットワークの識別情報及び通信時の暗号化に関する情報であることを特徴とする請求項１記載の通信システム。
【請求項３】
所定のシステム情報を共通に設定することによって、複数の通信装置間で所定の通信規格に従った通信を行うようになされた通信システムにおける通信装置であって、
システム情報を設定して通信を可能にする通信制御手段と、
上記通信制御手段により設定されたシステム情報に基づく通信を行う通信手段と、
通信を行う際の認証情報を生成する認証情報生成手段と、
認証情報をユーザに認識可能に提示する認証情報提示手段と、
上記認証情報提示手段により提示した認証情報に基づく認証処理を行う認証処理手段とを備え、
上記通信制御手段は、送信信号の出力レベルを低下させるとともに受信信号の信号レベルが所定値よりも小さな受信データを破棄するように設定し、共通のシステム情報を設定して上記通信手段を通信可能状態とし、他の通信装置から共通のシステム情報に基づく通信により送られてくる接続開始を示す信号を上記通信手段を介して受信すると、上記認証情報生成手段により認証情報を生成して上記認証情報提示手段によりユーザに認識可能に提示し、上記他の通信装置から共通のシステム情報に基づく通信により上記通信手段を介して送られてくる認証情報と上記提示した認証情報による認証処理を上記認証処理手段により行い、上記認証処理手段により認証された上記他の通信装置に共通のシステム情報に基づく通信により新たなシステム情報を上記通信手段を介して送信し、送信した新たなシステム情報を設定して当該新たなシステム情報に基づく通信を上記他の通信装置との間で上記通信手段を介して行うこと
を特徴とする通信装置。
【請求項４】
上記システム情報及び上記認証情報は、ネットワーク内で共通の当該ネットワークの識別情報及び通信時の暗号化に関する暗号化情報であることを特徴とする請求項３記載の通信装置。
【請求項５】
所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置であって、
システム情報を設定して通信を可能にする通信制御手段と、
上記通信制御手段により設定されたシステム情報に基づく通信を行う通信手段と、
認証情報を入力するための認証情報入力手段とを備え、
上記通信制御手段は、送信信号の出力レベルを低下させるとともに受信信号の信号レベルが所定値よりも小さな受信データを破棄するように設定し、共通のシステム情報を設定して上記通信手段を通信可能状態とし、共通のシステム情報に基づく通信により接続開始を示す信号を上記通信手段を介して送信し、上記認証情報入力手段により認証情報が入力されると、入力された認証情報を上記通信手段を介して送信し、上記認証情報に基づき認証されて送られてくる新たなシステム情報を上記通信手段を介して受信し、受信した新たなシステム情報を設定して当該新たなシステム情報に基づく通信を上記通信手段を介して行うこと
を特徴とする通信装置。
【請求項６】
上記システム情報及び上記認証情報は、ネットワーク内で共通の当該ネットワークの識別情報及び通信時の暗号化に関する暗号化情報であることを特徴とする請求項５記載の通信装置。
【請求項７】
所定のシステム情報を共通に設定することによって、複数の通信装置間で所定の通信規格に従った通信を行うようになされた通信システムにおける通信方法であって、
第１の通信装置は、送信信号の出力レベルを低下させるとともに受信信号の信号レベルが所定値よりも小さな受信データを破棄するように設定し、共通のシステム情報を設定して通信可能状態とし、第２の通信装置から共通のシステム情報に基づく通信により送られてくる接続開始を示す信号を受信すると、認証情報を生成してユーザに認識可能に提示し、上記第２の通信装置から共通のシステム情報に基づく通信により送られてくる認証情報と上記提示した認証情報による認証処理を行い、認証された上記第２の通信装置に共通のシステム情報に基づく通信により新たなシステム情報を送信し、送信した新たなシステム情報を設定して当該新たなシステム情報に基づく通信を上記第２の通信装置との間で行い、
上記第２の通信装置は、送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を上記第１の通信装置に送信し、認証情報が入力されると、上記第１の通信装置に送信し、上記第１の通信装置により上記認証情報に基づき認証されて送られてくる新たなシステム情報を受信し、受信した新たなシステム情報を設定して当該新たなシステム情報に基づく通信を上記第２の通信装置との間で行うこと
を特徴とする通信方法。
【請求項８】
上記システム情報及び上記認証情報は、ネットワーク内で共通の当該ネットワークの識別情報及び通信時の暗号化に関する暗号化情報であることを特徴とする請求項７記載の通信方法。
【請求項９】
所定のシステム情報を共通に設定することによって、複数の通信装置間で所定の通信規格に従った通信を行うようになされた通信システムにおける通信装置の通信制御方法であって、
送信信号の出力レベルを低下させるとともに受信信号の信号レベルが所定値よりも小さな受信データを破棄するように設定し、共通のシステム情報を設定して通信可能状態とし、他の通信装置から共通のシステム情報に基づく通信により送られてくる接続開始を示す信号を受信すると、認証情報を生成してユーザに認識可能に提示し、上記他の通信装置から共通のシステム情報に基づく通信により送られてくる認証情報と上記提示した認証情報による認証処理を行い、認証された上記他の通信装置に共通のシステム情報に基づく通信により新たなシステム情報を送信し、送信した新たなシステム情報を設定して当該新たなシステム情報に基づく通信を上記他の通信装置との間で行うこと
を特徴とする通信制御方法。
【請求項１０】
上記システム情報及び上記認証情報は、ネットワーク内で共通の当該ネットワークの識別情報及び通信時の暗号化に関する暗号化情報であることを特徴とする請求項９記載の通信制御方法。
【請求項１１】
所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置の通信制御方法であって、
送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を送信し、認証情報が入力されると、入力された認証情報を送信し、上記認証情報に基づき認証されて送られてくる新たなシステム情報を受信し、受信した新たなシステム情報を設定して当該新たなシステム情報に基づく通信を行うことを特徴とする通信制御方法。
【請求項１２】
上記システム情報及び上記認証情報は、ネットワーク内で共通の当該ネットワークの識別情報及び通信時の暗号化に関する暗号化情報であることを特徴とする請求項１１記載の通信制御方法。
【請求項１３】
所定のシステム情報を共通に設定することによって、複数の通信装置間で所定の通信規格に従った通信を行うようになされた通信システムにおける通信装置に搭載されるコンピュータにより実行される通信制御プログラムであって、
送信信号の出力レベルを低下させるとともに受信信号の信号レベルが所定値よりも小さな受信データを破棄するように設定し、共通のシステム情報を設定して通信可能状態とし、他の通信装置から共通のシステム情報に基づく通信により送られてくる接続開始を示す信号を受信すると、認証情報を生成してユーザに認識可能に提示し、上記他の通信装置から共通のシステム情報に基づく通信により送られてくる認証情報と上記提示した認証情報による認証処理を行い、認証された上記他の通信装置に共通のシステム情報に基づく通信により新たなシステム情報を送信し、送信した新たなシステム情報を設定して当該新たなシステム情報に基づく通信を上記他の通信装置との間で行う通信制御をコンピュータにより実行させることを特徴とする通信制御プログラム。
【請求項１４】
上記システム情報及び上記認証情報は、ネットワーク内で共通の当該ネットワークの識別情報及び通信時の暗号化に関する暗号化情報であることを特徴とする請求項１３記載の通信制御プログラム。
【請求項１５】
所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置に搭載されるコンピュータにより実行される通信制御プログラムであって、
送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を送信し、認証情報が入力されると、入力された認証情報を送信し、上位認証情報に基づき認証されて送られてくる新たなシステム情報を受信し、受信した新たなシステム情報を設定して当該新たなシステム情報に基づく通信を行う通信制御をコンピュータにより実行させること
を特徴とする通信制御プログラム。
【請求項１６】
上記システム情報及び上記認証情報は、ネットワーク内で共通の当該ネットワークの識別情報及び通信時の暗号化に関する暗号化情報であることを特徴とする請求項１５記載の通信制御プログラム。
【請求項１７】
所定のシステム情報を共通に設定することによって、複数の通信装置間で所定の通信規格に従った通信を行うようになされた通信システムにおける通信装置に搭載されるコンピュータにより実行される通信制御プログラムを記憶したプログラム記憶媒体であって、
送信信号の出力レベルを低下させるとともに受信信号の信号レベルが所定値よりも小さな受信データを破棄するように設定し、共通のシステム情報を設定して通信可能状態とし、他の通信装置から共通のシステム情報に基づく通信により送られてくる接続開始を示す信号を受信すると、認証情報を生成してユーザに認識可能に提示し、上記他の通信装置から共通のシステム情報に基づく通信により送られてくる認証情報と上記提示した認証情報による認証処理を行い、認証された上記他の通信装置に共通のシステム情報に基づく通信により新たなシステム情報を送信し、送信した新たなシステム情報を設定して当該新たなシステム情報に基づく通信を上記他の通信装置との間で行う通信制御プログラムをコンピュータにより読み取り実行可能に記憶したこと
を特徴とするプログラム記憶媒体。
【請求項１８】
上記システム情報及び上記認証情報は、ネットワーク内で共通の当該ネットワークの識別情報及び通信時の暗号化に関する暗号化情報であることを特徴とする請求項１７記載のプログラム記憶媒体。
【請求項１９】
所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置に搭載されるコンピュータにより実行される通信制御プログラムであって、
送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を送信し、認証情報が入力されると、入力された認証情報を送信し、上記認証情報に基づき認証させて送られてくる新たなシステム情報を受信し、受信した新たなシステム情報を設定して当該新たなシステム情報に基づく通信を行う通信制御プログラムをコンピュータにより読み取り実行可能に記憶したこと
を特徴とするプログラム記憶媒体。
【請求項２０】
上記システム情報及び上記認証情報は、ネットワーク内で共通の当該ネットワークの識別情報及び通信時の暗号化に関する暗号化情報であることを特徴とする請求項１９記載のプログラム記憶媒体。
【発明の詳細な説明】
【技術分野】
【０００１】
本発明は、複数の通信装置間で無線通信を行う通信システム、通信装置、通信方法、通信制御方法、通信制御プログラム、及びプログラム記憶媒体に関する。
【背景技術】
【０００２】
近年、複数の情報処理端末で通信を行う際に、無線ＬＡＮ（Local Area Network）通信手段を用いるものがある。このような無線ＬＡＮ通信手段を用いる際に、通信する無線LANを特定するための識別情報設定、接続開始時に認証を行って、以降のデータ通信を暗号化するためのセキュリティ情報設定が必要であり、セキュリティ方式に関してはＩＥＥＥ８０２．１１規格であるＷＥＰ（Wired Equivalent Privacy）方式、またはＩＥＥＥ８０２．１１ｉ規格である事前共有鍵方式など様々なセキュリティ方式規格が従来から用いられている。
【０００３】
【特許文献１】特開２００１−３５８９６６号公報
【発明の開示】
【発明が解決しようとする課題】
【０００４】
無線通信は、電波を使用するため通信範囲を限定することが困難であり、高性能なアンテナと無線装置を用いられた場合、物理的に離れた場所から悪意をもった第３者に不正に無線通信を傍受される危険性がある。このような通信の傍受から不正にアクセスされるのを阻止するため、無線ＬＡＮ通信は、ＩＥＥＥ８０２．１１規格であるＷＥＰ（Wired Equivalent Privacy）方式、またはＩＥＥＥ８０２．１１ｉ規格である事前共有鍵方式などの規格化されたセキュリティ方式が用いられている。しかし、このような認証及び暗号方式のアルゴリズムは、悪意をもった第３者に破られる場合もあり、通信データが不正にアクセスされるという危険がある。
【０００５】
また、これらのセキュリティ方式は、無線ＬＡＮ通信を開始する前に、ユーザが予め認証・暗号化に必要な情報を、無線通信を行う双方の情報処理端末に設定しておく必要がある。さらに、通信する無線ＬＡＮを識別するためのＳＳＩＤ（Service Set Identifier）情報を双方の情報処理端末に設定しておく必要がある。よってこれらの設定を行うためには、ユーザへ必要な情報をネットワーク管理者が書類またはインターネット回線等で事前に通知しておかなければならないので、大変不便である。そこで、この不便さを解消するために、より簡単な情報設定方法が期待される。
【０００６】
本発明は、このような上述した実情に鑑みて提案されたものであり、立ち入る人物が限定されている場所において、ユーザが安全且つ容易に通信接続設定を行うことができる通信システム、通信装置、通信方法、通信制御方法、通信制御プログラム、及びプログラム記憶媒体を提供することを目的とする。
【課題を解決するための手段】
【０００７】
上述した目的を達成するために、本発明に係る通信システムは、所定のシステム情報を通信装置に設定することによって、複数の通信装置間で所定の通信規格に従った通信を行うようになされた通信システムであって、システム情報を設定して通信を可能にする通信制御手段と、上記通信制御手段により設定されたシステム情報に基づく通信を行う通信手段と、通信を行う際の認証情報を生成する認証情報生成手段と、認証情報をユーザに認識可能に提示する認証情報提示手段と、上記認証情報提示手段により提示した認証情報に基づく認証処理を行う認証処理手段とからなる第１の通信装置と、システム情報を設定して通信を可能にする通信制御手段と、上記通信制御手段により設定されたシステム情報に基づく通信を行う通信手段と、認証情報を入力するための認証情報入力手段とからなる第２の通信装置とを備え、上記第１の通信装置は、上記通信制御手段により、送信信号の出力レベルを低下させるとともに受信信号の信号レベルが所定値よりも小さな受信データを破棄するように設定し、共通のシステム情報を設定して上記通信手段を通信可能状態とし、上記第２の通信装置から共通のシステム情報に基づく通信により送られてくる接続開始を示す信号を上記通信手段を介して受信すると、上記認証情報生成手段により認証情報を生成して上記認証情報提示手段によりユーザに認識可能に提示し、上記第２の通信装置から共通のシステム情報に基づく通信により上記通信手段を介して送られてくる認証情報と上記提示した認証情報による認証処理を上記認証処理手段により行い、上記認証処理手段により認証された上記第２の通信装置に共通のシステム情報に基づく通信により新たなシステム情報を上記通信手段を介して送信し、送信した新たなシステム情報を設定して当該新たなシステム情報に基づく通信を上記第２の通信装置との間で上記通信手段を介して行い、上記第２の通信装置は、上記通信制御手段により、送信信号の出力レベルを低下させるとともに受信信号の信号レベルが所定値よりも小さな受信データを破棄するように設定し、共通のシステム情報を設定して上記通信手段を通信可能状態とし、共通のシステム情報に基づく通信により接続開始を示す信号を上記通信手段を介して上記第１の通信装置に送信し、上記認証情報入力手段により認証情報が入力されると、上記通信手段を介して上記第１の通信装置に送信し、上記第１の通信装置により上記認証情報に基づき認証されて送られてくる新たなシステム情報を上記通信手段を介して受信し、受信した新たなシステム情報を設定して当該新たなシステム情報に基づく通信を上記第２の通信装置との間で上記通信手段を介して行うことを特徴とする。
【０００８】
また、本発明に係る通信装置は、所定のシステム情報を共通に設定することによって、複数の通信装置間で所定の通信規格に従った通信を行うようになされた通信システムにおける通信装置であって、システム情報を設定して通信を可能にする通信制御手段と、上記通信制御手段により設定されたシステム情報に基づく通信を行う通信手段と、通信を行う際の認証情報を生成する認証情報生成手段と、認証情報をユーザに認識可能に提示する認証情報提示手段と、上記認証情報提示手段により提示した認証情報に基づく認証処理を行う認証処理手段とを備え、上記通信制御手段は、送信信号の出力レベルを低下させるとともに受信信号の信号レベルが所定値よりも小さな受信データを破棄するように設定し、共通のシステム情報を設定して上記通信手段を通信可能状態とし、他の通信装置から共通のシステム情報に基づく通信により送られてくる接続開始を示す信号を上記通信手段を介して受信すると、上記認証情報生成手段により認証情報を生成して上記認証情報提示手段によりユーザに認識可能に提示し、上記他の通信装置から共通のシステム情報に基づく通信により上記通信手段を介して送られてくる認証情報と上記提示した認証情報による認証処理を上記認証処理手段により行い、上記認証処理手段により認証された上記他の通信装置に共通のシステム情報に基づく通信により新たなシステム情報を上記通信手段を介して送信し、送信した新たなシステム情報を設定して当該新たなシステム情報に基づく通信を上記他の通信装置との間で上記通信手段を介して行うことを特徴とする。
【０００９】
また、本発明に係る通信装置は、所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置であって、システム情報を設定して通信を可能にする通信制御手段と、上記通信制御手段により設定されたシステム情報に基づく通信を行う通信手段と、認証情報を入力するための認証情報入力手段とを備え、上記通信制御手段は、送信信号の出力レベルを低下させるとともに受信信号の信号レベルが所定値よりも小さな受信データを破棄するように設定し、共通のシステム情報を設定して上記通信手段を通信可能状態とし、共通のシステム情報に基づく通信により接続開始を示す信号を上記通信手段を介して送信し、上記認証情報入力手段により認証情報が入力されると、入力された認証情報を上記通信手段を介して送信し、上記認証情報に基づき認証されて送られてくる新たなシステム情報を上記通信手段を介して受信し、受信した新たなシステム情報を設定して当該新たなシステム情報に基づく通信を上記通信手段を介して行うことを特徴とする。
【００１０】
また、本発明に係る通信方法は、所定のシステム情報を共通に設定することによって、複数の通信装置間で所定の通信規格に従った通信を行うようになされた通信システムにおける通信方法であって、第１の通信装置は、送信信号の出力レベルを低下させるとともに受信信号の信号レベルが所定値よりも小さな受信データを破棄するように設定し、共通のシステム情報を設定して通信可能状態とし、第２の通信装置から共通のシステム情報に基づく通信により送られてくる接続開始を示す信号を受信すると、認証情報を生成してユーザに認識可能に提示し、上記第２の通信装置から共通のシステム情報に基づく通信により送られてくる認証情報と上記提示した認証情報による認証処理を行い、認証された上記第２の通信装置に共通のシステム情報に基づく通信により新たなシステム情報を送信し、送信した新たなシステム情報を設定して当該新たなシステム情報に基づく通信を上記第２の通信装置との間で行い、上記第２の通信装置は、送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を上記第１の通信装置に送信し、認証情報が入力されると、上記第１の通信装置に送信し、上記第１の通信装置により上記認証情報に基づき認証されて送られてくる新たなシステム情報を受信し、受信した新たなシステム情報を設定して当該新たなシステム情報に基づく通信を上記第２の通信装置との間で行うことを特徴とする。
【００１１】
また、本発明に係る通信制御方法は、所定のシステム情報を共通に設定することによって、複数の通信装置間で所定の通信規格に従った通信を行うようになされた通信システムにおける通信装置の通信制御方法であって、送信信号の出力レベルを低下させるとともに受信信号の信号レベルが所定値よりも小さな受信データを破棄するように設定し、共通のシステム情報を設定して通信可能状態とし、他の通信装置から共通のシステム情報に基づく通信により送られてくる接続開始を示す信号を受信すると、認証情報を生成してユーザに認識可能に提示し、上記他の通信装置から共通のシステム情報に基づく通信により送られてくる認証情報と上記提示した認証情報による認証処理を行い、認証された上記他の通信装置に共通のシステム情報に基づく通信により新たなシステム情報を送信し、送信した新たなシステム情報を設定して当該新たなシステム情報に基づく通信を上記他の通信装置との間で行うことを特徴とする。
【００１２】
また、本発明に係る通信制御方法は、所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置の通信制御方法であって、送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を送信し、認証情報が入力されると、入力された認証情報を送信し、上記認証情報に基づき認証されて送られてくる新たなシステム情報を受信し、受信した新たなシステム情報を設定して当該新たなシステム情報に基づく通信を行うことを特徴とする。
【００１３】
また、本発明に係る通信制御プログラムは、所定のシステム情報を共通に設定することによって、複数の通信装置間で所定の通信規格に従った通信を行うようになされた通信システムにおける通信装置に搭載されるコンピュータにより実行される通信制御プログラムであって、送信信号の出力レベルを低下させるとともに受信信号の信号レベルが所定値よりも小さな受信データを破棄するように設定し、共通のシステム情報を設定して通信可能状態とし、他の通信装置から共通のシステム情報に基づく通信により送られてくる接続開始を示す信号を受信すると、認証情報を生成してユーザに認識可能に提示し、上記他の通信装置から共通のシステム情報に基づく通信により送られてくる認証情報と上記提示した認証情報による認証処理を行い、認証された上記他の通信装置に共通のシステム情報に基づく通信により新たなシステム情報を送信し、送信した新たなシステム情報を設定して当該新たなシステム情報に基づく通信を上記他の通信装置との間で行う通信制御をコンピュータにより実行させることを特徴とする。
【００１４】
また、本発明に係る通信制御プログラムは、所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置に搭載されるコンピュータにより実行される通信制御プログラムであって、送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を送信し、認証情報が入力されると、入力された認証情報を送信し、上位認証情報に基づき認証されて送られてくる新たなシステム情報を受信し、受信した新たなシステム情報を設定して当該新たなシステム情報に基づく通信を行う通信制御をコンピュータにより実行させることを特徴とする。
【００１５】
また、本発明に係るプログラム記憶媒体は、所定のシステム情報を共通に設定することによって、複数の通信装置間で所定の通信規格に従った通信を行うようになされた通信システムにおける通信装置に搭載されるコンピュータにより実行される通信制御プログラムを記憶したプログラム記憶媒体であって、送信信号の出力レベルを低下させるとともに受信信号の信号レベルが所定値よりも小さな受信データを破棄するように設定し、共通のシステム情報を設定して通信可能状態とし、他の通信装置から共通のシステム情報に基づく通信により送られてくる接続開始を示す信号を受信すると、認証情報を生成してユーザに認識可能に提示し、上記他の通信装置から共通のシステム情報に基づく通信により送られてくる認証情報と上記提示した認証情報による認証処理を行い、認証された上記他の通信装置に共通のシステム情報に基づく通信により新たなシステム情報を送信し、送信した新たなシステム情報を設定して当該新たなシステム情報に基づく通信を上記他の通信装置との間で行う通信制御プログラムをコンピュータにより読み取り実行可能に記憶したことを特徴とする。
【００１６】
また、本発明に係るプログラム記憶媒体は、所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置に搭載されるコンピュータにより実行される通信制御プログラムであって、送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を送信し、認証情報が入力されると、入力された認証情報を送信し、上記認証情報に基づき認証させて送られてくる新たなシステム情報を受信し、受信した新たなシステム情報を設定して当該新たなシステム情報に基づく通信を行う通信制御プログラムをコンピュータにより読み取り実行可能に記憶したことを特徴とする。
【発明の効果】
【００１７】
本発明に係る無線通信システムは、通信装置の送信出力を低下することで通信範囲を限定した状態で通信が開始される。このことにより、無線通信用の電波の到達範囲を限定することで、第３者によるネットワークへの不正なアクセスの危険性が低減される。さらに、無線通信システムは、通信が開始された後に、第１の通信装置が認証情報をユーザに提供し、上記認証情報をユーザが第２の通信装置に入力することにより認証が行われる。従って、電波の到達範囲を不正なアクセスから守るため十分に限定できない場合、ユーザが第１の通信装置から提供された認証情報を第２の通信装置に入力する認証方法は、上述した通信出力を低下する方法の補填的な役割を果たし、従来の無線通信規格による認証方式に対して安全にデータ通信を行うことができる。また、従来の書類またはインターネット回線等によるシステム情報の提供に対して、認証完了後に、自動的にシステム情報が共有されてデータ通信可能な状態となるので、ユーザはより簡単にシステム情報の設定を完了することが出来る。
【発明を実施するための最良の形態】
【００１８】
以下、本発明を適用した無線ＬＡＮシステムについて、図面を参照しながら詳細に説明する。
【００１９】
図１は、本発明を適用した無線ＬＡＮシステム１を示した構成図である。
【００２０】
無線ＬＡＮシステム１は、図１に示すように、無線ＬＡＮ通信手段をもつ通信装置であるベース部２と、ベース部２と無線ＬＡＮ通信手段を介して通信し、その通信データである画像データを表示するモニタ部３とから構成される。
【００２１】
なお、本実施形態では、ベース部２から画像データをモニタ部３へ送信し、モニタ部３はその画像データを表示する場合を考えているが、このような形態に限らず、音声データを通信する場合も良く、モニタ部３とスピーカとを組み合わせて使用するようにしてもよい。
【００２２】
ここで、ベース部２の構成について図２を用いて説明する。
【００２３】
ベース部２は、図２に示すように、所定の演算処理を行うＣＰＵ（Central Processing Unit）１０と、各種制御プログラム等を記憶保持するＲＯＭ（Read Only Memory）１１と、ＣＰＵ１０のワークメモリとしてのＲＡＭ（Random Access Memory）１２と、予め定められた無線ＬＡＮシステム情報を記憶するフラッシュＲＯＭ１３と、モニタ部３と通信を行う無線ＬＡＮ通信部１４と、ベース部２全体の電源のオン／オフを制御する電源制御部１５と、電源制御部１５にオン／オフ信号を入力する電源キー１６と、無線ＬＡＮ通信部１４の送信出力を制御する送信出力制御部１７と、ベース部２の所定位置に配置された設定キー１８の状態を検出するキー状態検出部１９と、無線ＬＡＮシステムの認証設定に関する情報等をユーザに対して表示するＬＥＤ（Light Emitting Diode）２０と、ＬＥＤ２０の表示を制御する表示制御部２１とを有し、これらがバス２２を介して相互に接続されている。
【００２４】
ＣＰＵ１０は、無線ＬＡＮ通信部１４から与えられるモニタ部３からの各種制御命令及び各種データ、または、ＲＯＭ１１に格納された各種プログラムに基づいて各種制御処理を実行する。
【００２５】
無線ＬＡＮ通信部１４は、設定された無線ＬＡＮシステム情報を用いてモニタ部３との間で通信が開始され、モニタ部３から送信された各種制御命令または各種データを、無線ＬＡＮ通信部１４に接続されているアンテナ２３を介して受信すると、バス２２を介してＣＰＵ１０に送出する。
【００２６】
電源制御部１５は、ベース部２の所定位置に配置された電源キー１６がユーザによって押圧操作されると、図示しない電源回路を制御して各回路に対する駆動電流の供給を開始または停止させることにより、ベース部２全体の電源をオン／オフさせる。
【００２７】
キー状態検出部１９は、設定キー１８の状態を常時監視し、該当設定キー１８がユーザによって押圧操作されると、この操作をＣＰＵ１０に通知する。この操作がＣＰＵ１０に通知されると、ＣＰＵ１０はＲＯＭ１１に格納された無線ＬＡＮシステム情報設定プログラムを読み出し、この無線ＬＡＮシステム情報設定プログラムに記述された命令に従って無線ＬＡＮシステム情報を無線ＬＡＮ通信部１４に設定する。
【００２８】
ここで、モニタ部３の構成について図３を用いて説明する。
【００２９】
モニタ部３は、図３に示すように、所定の演算処理を行うＣＰＵ３０と、各種制御プログラム等を格納するＲＯＭ３１と、ＣＰＵ３０のワークメモリとしてのＲＡＭ３２と、モニタ部３について予め定められた無線ＬＡＮシステム情報を記憶するフラッシュＲＯＭ３３と、ベース部２と通信を行う無線ＬＡＮ通信部３４と、モニタ部３全体の電源のオン／オフを制御する電源制御部３５と、電源制御部３５にオン／オフ信号を入力する電源キー３６と、無線ＬＡＮ通信部３４の送信出力を制御する送信出力制御部３７と、ＬＣＤ（Liquid Crystal Display）３８を制御する表示制御部３９と、ＬＣＤ３８に配設されたタッチパネル４０と、ユーザがタッチパネル４０を操作して得られた座標位置を検出する座標検出部４１とを有し、これらがバス４２を介して相互に接続されることにより構成されている。
【００３０】
ＣＰＵ３０は、無線ＬＡＮ通信部から与えられるベース部２からの各種制御コマンドや、ＲＯＭ３１に格納された各種プログラムに基づいて各種制御処理を実行する。
【００３１】
無線ＬＡＮ通信部３４は、設定された無線ＬＡＮシステム情報を用いてベース部２から送信された各種制御命令を、無線ＬＡＮ通信部３４に接続されているアンテナ４２を介して受信した場合には、バス４１を介してＣＰＵ３０に送出する。
【００３２】
電源制御部３５は、モニタ部３の所定位置に配設された電源キー３６がユーザによって押圧操作されたか否かを常時監視し、該当電源キー３６が押圧操作されると、電源回路を制御して各回路に対する駆動電流の供給を開始または停止させることにより、モニタ部３の電源をオン／オフさせる。
【００３３】
ＣＰＵ３０は、無線通信部３４にベース部２との接続及びデータ通信に必要な無線ＬＡＮシステム情報が設定されていない場合は、例えばＲＯＭ３１に格納された各種制御プログラムに基づく画像データを表示制御部３９に与えることにより、無線ＬＡＮシステム情報設定用の所定のＧＵＩ（Graphical User Interface）画面をＬＣＤ３８に表示させる。
【００３４】
ＬＣＤ３８にＧＵＩ画面が表示されると、ＣＰＵ３０は、無線ＬＡＮシステムを設定すべき旨の入力があったことを座標検出部４１の検出結果に基づいて認識して、ＲＯＭ３１に格納された無線ＬＡＮシステム情報設定プログラムを読み出し、この無線ＬＡＮシステム情報設定プログラムに記述された命令に従って、無線ＬＡＮシステム情報を無線ＬＡＮ通信部３４に設定する。
【００３５】
次に、ベース部２の無線ＬＡＮ通信部１４の具体的構成を図４に示す。
【００３６】
無線ＬＡＮ通信部１４は、図４に示すように、ＲＦ（Radio Frequency）／ＩＦ（Intermediate Frequency）処理部５０と、ベースバンド処理部５１と、ＭＡＣ（Media Access Control）処理部５２から構成されている。
【００３７】
まず、送信処理について説明する。ＭＡＣ処理部５２は、バス２２を介して与えられる各種データに対し、該当無線ＬＡＮシステム情報に含まれる暗号化情報に従った暗号化処理、フレームフォーマットの変換、送出タイミング制御などの所定のＭＡＣ処理５２を施し、得られたフレームデータＤ１をベースバンド処理部５１に送出する。
【００３８】
ベースバンド処理部５１は、供給されるフレームデータＤ１をＩＱ信号Ｓ１０に変調し、これをＲＦ／ＩＦ処理部５０に送出する。またベースバンド処理部５１は、ＭＡＣ処理部５２に設定されている送信出力レベルの設定値に応じた送信出力制御信号Ｓ１１をＲＦ／ＩＦ処理部５０に送出することにより、当該ＲＦ／ＩＦ処理部５０内の図示しない増幅器のゲインを当該設定値に応じた値に設定する。
【００３９】
ＲＦ／ＩＦ処理部５０は、ベースバンド処理部５１から与えられるＩＱ信号Ｓ１０を中間周波（ＩＦ）信号に変換し、さらに高周波（ＲＦ）信号にアップコンバートし、このＲＦ信号Ｓ１２を増幅処理し、アンテナ２３を介して、通信相手のモニタ部３に送信する。
【００４０】
次に、受信処理について説明する。アンテナ２３が、通信相手のモニタ部３から送信された信号を受信する。ＲＦ／ＩＦ処理部５０は、受信した高周波信号Ｓ１３を中間周波信号にダウンコンバートするとともに、この中間周波信号をさらにＩＱ信号Ｓ１４に変換してベースバンド処理部５１に送出する。またＲＦ／ＩＦ処理部５０は、図示しない内部の検波回路における検出結果を検波信号Ｓ１５としてベースバンド処理部５１に送出する。
【００４１】
ベースバンド処理部５１は、ＲＦ／ＩＦ処理部５０から与えられるＩＱ信号Ｓ１４を復調し、得られたフレームデータＤ２をＭＡＣ処理部５２へ送出するとともに、このときＲＦ／ＩＦ処理部５０から与えられる検波信号Ｓ１５に基づいて受信信号（すなわち受信した高周波信号）の強度を表すＲＳＳＩ（Received Signal Strength Indicator）値を検出し、検出結果をＲＳＳＩ値情報Ｄ３としてＭＡＣ処理部５２に送出する。
【００４２】
ＭＡＣ処理部５２は、ベースバンド処理部５１から与えられるフレームデータＤ２を当該無線通信システム情報に含まれる暗号化情報に従って復号して、必要なデータを抽出し、これを、バス２２を介して、ＣＰＵ１０などの対応するブロックに送出する。この際、無線ＬＡＮ通信部１４は、ＲＳＳＩ値情報Ｄ３に基づき認識される受信信号のＲＳＳＩ値がＣＰＵ１０またはＣＰＵ３０により予め設定された所定の値よりも小さいときに、そのフレームデータＤ２を破棄する。
【００４３】
このように無線ＬＡＮ通信部１４は、必要に応じて信号レベルの低いフレームデータを破棄しながら、通信相手と規格に応じた通信を行えるようになっている。
【００４４】
なお、モニタ部３４の無線ＬＡＮ通信部３４は、上述した無線ＬＡＮ通信部１４と同様の送信処理及び受信処理を行う。
【００４５】
次にこの無線ＬＡＮシステム１のベース部２及びモニタ部３における無線ＬＡＮシステムの設定処理について、図５を参照して説明する。
【００４６】
無線ＬＡＮシステム１は、ベース部２の設定キー１７を押圧操作するとともにモニタ部３のＬＣＤ３８に所定のＧＵＩを表示させてタッチパネル４０を操作することによって、ベース部２とモニタ部３との間で通信を行う。無線ＬＡＮシステム情報を共有して、無線ＬＡＮ通信部１４及び無線ＬＡＮ通信部３４にそれぞれ設定する無線ＬＡＮ情報設定機能は、ベース部２及びモニタ部３にそれぞれ搭載されている。なお、図５のフロー図は、左側が無線ＬＡＮシステム情報設定プログラムの記述に応じたベース部２の動作の時間的な流れを示し、右側が無線ＬＡＮシステム情報設定プログラムの記述に応じたモニタ部３の動作の時間的な流れを示している。
【００４７】
ステップＳＴ１において、ベース部２の無線ＬＡＮ通信部１４の設定を説明する。
【００４８】
ステップＳＴ１−１において、ベース部２のＣＰＵ１０は、ユーザが無線ＬＡＮシステム情報設定プログラムを起動する目的で設定キー１８を押圧操作したことをキー状態検出部１９から通知される。
【００４９】
ステップＳＴ１−２において、ＣＰＵ１０は、キー状態検出部１９から無線ＬＡＮシステム情報設定プログラムを起動する旨が通知されると、ＲＯＭ１１から無線ＬＡＮシステム情報設定プログラムを読み出し、これをＲＡＭ１２に展開する。
【００５０】
ステップＳＴ１−３において、ＣＰＵ１０は、無線ＬＡＮシステム情報設定プログラムに記述された命令に従い、送信信号の出力レベルを予め定められた最低レベルにまで低下させるように、所定値を無線通信部１４のＭＡＣ処理部５２に設定する。
【００５１】
ステップＳＴ１−４において、ＣＰＵ１０は、無線ＬＡＮシステム情報設定プログラムに記述された命令に従い、無線通信部１４に対して受信信号の信号レベルが所定の閾値よりも小さな受信データを破棄させるように設定をする。具体的には、ＣＰＵ１０は、無線ＬＡＮ通信部１４が常時検出する受信信号のＲＳＳＩ値の下限値として、予め定められた所定値を無線ＬＡＮ通信部１４のＭＡＣ処理部５２に設定する。
【００５２】
ステップＳＴ２において、ベース部２と同様に、モニタ部３の無線ＬＡＮ通信部３４の通信設定について説明する。
【００５３】
ステップＳＴ２−１において、モニタ部３のＣＰＵ３０は、ユーザがタッチパネル４０を操作し、無線ＬＡＮシステム情報を設定する旨の情報が、座標検出部４１から通知される。
【００５４】
ステップＳＴ２−２において、座標検出部４１からの通知を認識すると、ＣＰＵ３０は、ＲＯＭ３１から無線ＬＡＮシステム情報設定プログラムを読み出し、これをＲＡＭ３２に展開する。
【００５５】
ステップＳＴ２−３において、ＣＰＵ３０は、無線ＬＡＮシステム情報設定プログラムに記述された命令に従い、送信信号の出力レベルを予め定められた最低レベルにまで低下させるように、所定値を無線通信部３４のＭＡＣ処理部５２に設定する。
【００５６】
ステップＳＴ２−４において、ＣＰＵ３０は、無線ＬＡＮシステム情報設定プログラムに記述された命令に従い、無線通信部３４に対して受信信号の信号レベルが所定の閾値よりも小さな受信データを破棄させるように設定をする。
【００５７】
このように無線ＬＡＮ通信部１４及び無線ＬＡＮ通信部３４は、設定時における送信信号の出力レベルを低下させることで、悪意のある第三者に通信を傍受されないようにする。
【００５８】
そこで、この無線ＬＡＮシステム１は、ベース部２及びモニタ部３に対して無線通信システム情報を設定する際に、ベース部２とモニタ部３とを極至近距離に位置させることを前提として、送信出力を抑えて電波が到達する距離を制限する。また、ベース部２及びモニタ部３は、至近距離から送信されたと考えられるデータのみを受信し、これ以外のデータを破棄することにより、無線ＬＡＮシステム１を設定する際の安全性を向上させ得るようになされている。
【００５９】
この結果、無線ＬＡＮ通信部１４及び無線ＬＡＮ通信部３４は、受信信号のＲＳＳＩ値を常時監視し、この値がＣＰＵ１０及びＣＰＵ３０により設定された値以上のデータのみを受信し、これ以外のデータについては破棄することとなる。
【００６０】
無線ＬＡＮ通信システム１は、無線ＬＡＮ通信部１４及び無線ＬＡＮ通信部３４において、上述した通信に関する設定が完了すると、通信を開始する。
【００６１】
ステップＳＴ３において、ベース部２のＣＰＵ１０は、ステップＳＴ１の後に、無線ＬＡＮシステム情報設定プログラムに記述された命令に従い、規格化された無線ＬＡＮシステム情報を無線ＬＡＮ通信部１４のＭＡＣ処理部５２に設定し、モニタ部３が接続するのを待機する。
【００６２】
ステップＳＴ４において、モニタ部３のＣＰＵ３０は、無線ＬＡＮシステム情報設定プログラムに記述された命令に従い、規格化された無線ＬＡＮシステム情報を無線通信部３４のＭＡＣ処理部５２に設定し、ベース部２と通信を開始する。
【００６３】
ステップＳＴ５において、ベース部２とモニタ部３との間で接続されると、ベース部２のＣＰＵ１０は、無線ＬＡＮシステム情報設定プログラムに記述された命令に従ってＬＥＤ２０を点滅させる点滅パターンを生成し、表示制御部２１に対し生成された点滅パターンを認証情報として与え、ＬＥＤ２０を点滅させる。ここで、ユーザは、ＬＥＤ２０の点滅パターンに基づく認証情報を認識する。
【００６４】
なお、ユーザに対して認証情報を認識させる方法は、ＬＥＤ２０の点滅パターンに限らず、ブザー音などを用いるようにしてもよい。
【００６５】
ステップＳＴ６において、モニタ部３のＣＰＵ３０は、無線ＬＡＮシステム情報設定プログラムに記述された命令に従い、表示制御部３８に対して、ユーザが認証情報を入力するための画面を表示させる。
【００６６】
ステップＳＴ７において、モニタ部３に認証情報設定画面が表示されると、ユーザは、ベース部２から認識した点滅パターンに基づく情報を、モニタ部３が有するタッチパネル３４等の入力手段を用いて、ＬＣＤ３８の入力画面に従って入力する。
【００６７】
ステップＳＴ８において、ＣＰＵ３０は、無線ＬＡＮシステム設定プログラムに記述された命令に従い、ユーザにより入力された認証情報をベース部２の無線ＬＡＮ通信部１４へ送信する。
【００６８】
ステップＳＴ９において、ベース部２のＣＰＵ１０は無線ＬＡＮ通信部１４を介してこの認証情報を受信すると、ＣＰＵ１０は、無線ＬＡＮシステム情報設定プログラムに記述された命令に従い、ベース部２とモニタ部３との間で認証を完了する。ここで、ベース部２のＣＰＵ１０は、ＳＴ５において生成した認証情報と、モニタ部３から受信した認証情報とを参照して認証処理をする。
【００６９】
ステップＳＴ１０において、ベース部２とモニタ部３との間で認証が完了すると、ベース部２のＣＰＵ１０は、無線ＬＡＮシステム情報設定プログラムに記述された命令に従って、新たなシステム情報を生成し、無線通信部１４を介して新たなシステム情報をモニタ部３へ送信後、新たなシステム情報を無線ＬＡＮ通信部１４のＭＡＣ処理部５２に設定する。ここで、規格化された無線ＬＡＮシステム情報が不特定多数の通信装置と通信を行う情報であるのに対して、新たなシステム情報は、ベース部２とモニタ部３との間に限定して通信を行うための情報である。
【００７０】
ステップＳＴ１１において、モニタ部３が新たなシステム情報をベース部２から受信すると、ＣＰＵ３０は、無線ＬＡＮシステム情報設定プログラムに記述された命令に従い、この情報を無線ＬＡＮ通信部３４のＭＡＣ処理部５２に設定する。
【００７１】
新たなシステム情報が無線ＬＡＮ通信部１４及び無線ＬＡＮ通信部３４のＭＡＣ処理部５２に設定されると、上述した一連のシステム情報の設定が終了し、ベース部２とモニタ部３との間で実質的なデータの通信が開始される。
【００７２】
ステップＳＴ１２において、ベース部２のＣＰＵ１０は、ステップＳＴ１０の後に、無線ＬＡＮシステム情報設定プログラムに記述された命令に従い、フラッシュＲＯＭ１３に新たなシステム情報を保存させる。
【００７３】
ステップＳＴ１３において、モニタ部３のＣＰＵ３０は、ステップＳＴ１１の後に、無線ＬＡＮシステム情報設定プログラムに記述された命令に従い、無線ＬＡＮシステム情報設定プログラムに記述された命令に従い、フラッシュＲＯＭ３３に認証情報を保存させる。
【００７４】
フラッシュＲＯＭ１３及びフラッシュＲＯＭ３３にシステム情報を記憶させることにより、ベース部２及びモニタ部３が再起動された場合も、接続を確立するためのシステム情報が保持されているので、無線ＬＡＮシステム１は、一度設定が完了すれば、接続に関する設定操作を行わなくても無線通信を行うことができる。
【００７５】
なお、上述の実施形態においては、ＳＴ１０においてシステム情報を新たに生成する場合について述べたが、これに限らず、例えば事前にベース部のフラッシュＲＯＭ１３に保存されているシステム情報を読み出し、それを新たなシステム情報としてモニタ部３に対して送信することによってベース部２およびモニタ部３との間で新たなシステム情報を共有し、新たなシステム情報をベース部２及びモニタ部３内においてそれぞれ無線通信部１４及び無線通信部３４に設定するようにしても良い。
【００７６】
このように、ベース部２のＬＥＤ２０が点滅したパターンに基づく情報を、ユーザがモニタ部３に入力する認証方法は、電波の到達範囲を限定する場合が困難な場合に、上述した出力レベルを低下する方法の補填的な役割を果たし、より安全に無線ＬＡＮ通信システム１の設定が行うことができる。
【００７７】
なお、本発明は上述した実施の形態のみに限定されるものではなく、本発明の要旨を逸脱しない範囲において種々の変更が可能であることは勿論である。
【図面の簡単な説明】
【００７８】
【図１】無線ＬＡＮシステムを示した概略図である。
【図２】ベース部の構成を示すブロック図である。
【図３】モニタ部の構成を示すブロック図である。
【図４】無線ＬＡＮ通信部の構成を示すブロック図である。
【図５】無線ＬＡＮシステム情報設定処理手順を示すフロー図である。
【符号の説明】
【００７９】
１  無線ＬＡＮシステム、２  ベース部、３  モニタ部、１０  ＣＰＵ、１１  ＲＯＭ、１２  ＲＡＭ、１３  フラッシュＲＯＭ、１４  無線ＬＡＮ通信部、１５  電源制御部、１６  電源キー、１７  送信出力制御部、１８  設定キー、１９  キー状態検出部、２０  ＬＥＤ、２１  表示制御部、２２  バス、２３  アンテナ、３０  ＣＰＵ、３１  ＲＯＭ、３２  ＲＡＭ、３３  フラッシュＲＯＭ、３４  無線ＬＡＮ通信部、３５  電源制御部、３６  電源キー、３７  送信出力制御部、３８  ＬＣＤ、３９  表示制御部、４０  タッチパネル、４１  座標検出部、４２  バス、４３  アンテナ
【図１】
2007036734.tif 000003
【図２】
2007036734.tif 000004
【図３】
2007036734.tif 000005
【図４】
2007036734.tif 000006
【図５】
2007036734.tif 000007
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
所定のシステム情報を通信装置に設定することによって、複数の通信装置間で所定の通信規格に従った通信を行うようになされた通信システムであって、
システム情報を設定して通信を可能にする第１の通信制御手段と、上記第１の通信制御手段により設定されたシステム情報に基づく通信を行う第１の通信手段と、通信を行う際の認証情報を生成する認証情報生成手段と、認証情報をユーザに認識可能に提示する認証情報提示手段と、上記認証情報提示手段により提示した認証情報に基づく認証処理を行う認証処理手段とからなる第１の通信装置と、
システム情報を設定して通信を可能にする第２の通信制御手段と、上記第２の通信制御手段により設定されたシステム情報に基づく通信を行う第２の通信手段と、認証情報を入力するための認証情報入力手段とからなる第２の通信装置とを備え、
上記第１の通信装置は、上記第１の通信制御手段により、送信信号の出力レベルを低下させるとともに受信信号の信号レベルが所定値よりも小さな受信データを破棄するように設定し、共通のシステム情報を設定して上記第１の通信手段を通信可能状態とし、上記第２の通信装置から共通のシステム情報に基づく通信により送られてくる接続開始を示す信号を上記第１の通信手段を介して受信すると、上記認証情報生成手段により認証情報を生成して上記認証情報提示手段によりユーザに認識可能に提示し、上記第２の通信装置から共通のシステム情報に基づく通信により上記第１の通信手段を介して送られてくる認証情報と上記提示した認証情報による認証処理を上記認証処理手段により行い、上記認証処理手段により認証された上記第２の通信装置に共通のシステム情報に基づく通信により新たなシステム情報を上記第１の通信手段を介して送信し、送信した新たなシステム情報を設定して当該新たなシステム情報に基づく通信を上記第２の通信装置との間で上記第１の通信手段を介して行い、
上記第２の通信装置は、上記第２の通信制御手段により、送信信号の出力レベルを低下させるとともに受信信号の信号レベルが所定値よりも小さな受信データを破棄するように設定し、共通のシステム情報を設定して上記第２の通信手段を通信可能状態とし、共通のシステム情報に基づく通信により接続開始を示す信号を上記第２の通信手段を介して上記第１の通信装置に送信し、上記認証情報入力手段により認証情報が入力されると、上記第２の通信手段を介して上記第１の通信装置に送信し、上記第１の通信装置により上記認証情報に基づき認証されて送られてくる新たなシステム情報を上記第２の通信手段を介して受信し、受信した新たなシステム情報を設定して当該新たなシステム情報に基づく通信を上記第１の通信装置との間で上記第２の通信手段を介して行うこと
を特徴とする通信システム。
【請求項２】
上記システム情報及び上記認証情報は、ネットワーク内で共通の当該ネットワークの識別情報及び通信時の暗号化に関する情報であることを特徴とする請求項１記載の通信システム。
【請求項３】
所定のシステム情報を共通に設定することによって、複数の通信装置間で所定の通信規格に従った通信を行うようになされた通信システムにおける通信装置であって、
システム情報を設定して通信を可能にする通信制御手段と、
上記通信制御手段により設定されたシステム情報に基づく通信を行う通信手段と、
通信を行う際の認証情報を生成する認証情報生成手段と、
認証情報をユーザに認識可能に提示する認証情報提示手段と、
上記認証情報提示手段により提示した認証情報に基づく認証処理を行う認証処理手段とを備え、
上記通信制御手段は、送信信号の出力レベルを低下させるとともに受信信号の信号レベルが所定値よりも小さな受信データを破棄するように設定し、共通のシステム情報を設定して上記通信手段を通信可能状態とし、他の通信装置から共通のシステム情報に基づく通信により送られてくる接続開始を示す信号を上記通信手段を介して受信すると、上記認証情報生成手段により認証情報を生成して上記認証情報提示手段によりユーザに認識可能に提示し、上記他の通信装置から共通のシステム情報に基づく通信により上記通信手段を介して送られてくる認証情報と上記提示した認証情報による認証処理を上記認証処理手段により行い、上記認証処理手段により認証された上記他の通信装置に共通のシステム情報に基づく通信により新たなシステム情報を上記通信手段を介して送信し、送信した新たなシステム情報を設定して当該新たなシステム情報に基づく通信を上記他の通信装置との間で上記通信手段を介して行うこと
を特徴とする通信装置。
【請求項４】
上記システム情報及び上記認証情報は、ネットワーク内で共通の当該ネットワークの識別情報及び通信時の暗号化に関する暗号化情報であることを特徴とする請求項３記載の通信装置。
【請求項５】
所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置であって、
システム情報を設定して通信を可能にする通信制御手段と、
上記通信制御手段により設定されたシステム情報に基づく通信を行う通信手段と、
認証情報を入力するための認証情報入力手段とを備え、
上記通信制御手段は、送信信号の出力レベルを低下させるとともに受信信号の信号レベルが所定値よりも小さな受信データを破棄するように設定し、共通のシステム情報を設定して上記通信手段を通信可能状態とし、共通のシステム情報に基づく通信により接続開始を示す信号を上記通信手段を介して送信し、上記認証情報入力手段により認証情報が入力されると、入力された認証情報を上記通信手段を介して送信し、上記認証情報に基づき認証されて送られてくる新たなシステム情報を上記通信手段を介して受信し、受信した新たなシステム情報を設定して当該新たなシステム情報に基づく通信を上記通信手段を介して行うこと
を特徴とする通信装置。
【請求項６】
上記システム情報及び上記認証情報は、ネットワーク内で共通の当該ネットワークの識別情報及び通信時の暗号化に関する暗号化情報であることを特徴とする請求項５記載の通信装置。
【請求項７】
所定のシステム情報を共通に設定することによって、複数の通信装置間で所定の通信規格に従った通信を行うようになされた通信システムにおける通信方法であって、
第１の通信装置は、送信信号の出力レベルを低下させるとともに受信信号の信号レベルが所定値よりも小さな受信データを破棄するように設定し、共通のシステム情報を設定して通信可能状態とし、第２の通信装置から共通のシステム情報に基づく通信により送られてくる接続開始を示す信号を受信すると、認証情報を生成してユーザに認識可能に提示し、上記第２の通信装置から共通のシステム情報に基づく通信により送られてくる認証情報と上記提示した認証情報による認証処理を行い、認証された上記第２の通信装置に共通のシステム情報に基づく通信により新たなシステム情報を送信し、送信した新たなシステム情報を設定して当該新たなシステム情報に基づく通信を上記第２の通信装置との間で行い、
上記第２の通信装置は、送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を上記第１の通信装置に送信し、認証情報が入力されると、上記第１の通信装置に送信し、上記第１の通信装置により上記認証情報に基づき認証されて送られてくる新たなシステム情報を受信し、受信した新たなシステム情報を設定して当該新たなシステム情報に基づく通信を上記第２の通信装置との間で行うこと
を特徴とする通信方法。
【請求項８】
上記システム情報及び上記認証情報は、ネットワーク内で共通の当該ネットワークの識別情報及び通信時の暗号化に関する暗号化情報であることを特徴とする請求項７記載の通信方法。
【請求項９】
所定のシステム情報を共通に設定することによって、複数の通信装置間で所定の通信規格に従った通信を行うようになされた通信システムにおける通信装置の通信制御方法であって、
送信信号の出力レベルを低下させるとともに受信信号の信号レベルが所定値よりも小さな受信データを破棄するように設定し、共通のシステム情報を設定して通信可能状態とし、他の通信装置から共通のシステム情報に基づく通信により送られてくる接続開始を示す信号を受信すると、認証情報を生成してユーザに認識可能に提示し、上記他の通信装置から共通のシステム情報に基づく通信により送られてくる認証情報と上記提示した認証情報による認証処理を行い、認証された上記他の通信装置に共通のシステム情報に基づく通信により新たなシステム情報を送信し、送信した新たなシステム情報を設定して当該新たなシステム情報に基づく通信を上記他の通信装置との間で行うこと
を特徴とする通信制御方法。
【請求項１０】
上記システム情報及び上記認証情報は、ネットワーク内で共通の当該ネットワークの識別情報及び通信時の暗号化に関する暗号化情報であることを特徴とする請求項９記載の通信制御方法。
【請求項１１】
所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置の通信制御方法であって、
送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を送信し、認証情報が入力されると、入力された認証情報を送信し、上記認証情報に基づき認証されて送られてくる新たなシステム情報を受信し、受信した新たなシステム情報を設定して当該新たなシステム情報に基づく通信を行うことを特徴とする通信制御方法。
【請求項１２】
上記システム情報及び上記認証情報は、ネットワーク内で共通の当該ネットワークの識別情報及び通信時の暗号化に関する暗号化情報であることを特徴とする請求項１１記載の通信制御方法。
【請求項１３】
所定のシステム情報を共通に設定することによって、複数の通信装置間で所定の通信規格に従った通信を行うようになされた通信システムにおける通信装置に搭載されるコンピュータにより実行される通信制御プログラムであって、
送信信号の出力レベルを低下させるとともに受信信号の信号レベルが所定値よりも小さな受信データを破棄するように設定し、共通のシステム情報を設定して通信可能状態とし、他の通信装置から共通のシステム情報に基づく通信により送られてくる接続開始を示す信号を受信すると、認証情報を生成してユーザに認識可能に提示し、上記他の通信装置から共通のシステム情報に基づく通信により送られてくる認証情報と上記提示した認証情報による認証処理を行い、認証された上記他の通信装置に共通のシステム情報に基づく通信により新たなシステム情報を送信し、送信した新たなシステム情報を設定して当該新たなシステム情報に基づく通信を上記他の通信装置との間で行う通信制御をコンピュータにより実行させることを特徴とする通信制御プログラム。
【請求項１４】
上記システム情報及び上記認証情報は、ネットワーク内で共通の当該ネットワークの識別情報及び通信時の暗号化に関する暗号化情報であることを特徴とする請求項１３記載の通信制御プログラム。
【請求項１５】
所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置に搭載されるコンピュータにより実行される通信制御プログラムであって、
送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を送信し、認証情報が入力されると、入力された認証情報を送信し、上位認証情報に基づき認証されて送られてくる新たなシステム情報を受信し、受信した新たなシステム情報を設定して当該新たなシステム情報に基づく通信を行う通信制御をコンピュータにより実行させること
を特徴とする通信制御プログラム。
【請求項１６】
上記システム情報及び上記認証情報は、ネットワーク内で共通の当該ネットワークの識別情報及び通信時の暗号化に関する暗号化情報であることを特徴とする請求項１５記載の通信制御プログラム。
【請求項１７】
所定のシステム情報を共通に設定することによって、複数の通信装置間で所定の通信規格に従った通信を行うようになされた通信システムにおける通信装置に搭載されるコンピュータにより実行される通信制御プログラムを記憶したプログラム記憶媒体であって、
送信信号の出力レベルを低下させるとともに受信信号の信号レベルが所定値よりも小さな受信データを破棄するように設定し、共通のシステム情報を設定して通信可能状態とし、他の通信装置から共通のシステム情報に基づく通信により送られてくる接続開始を示す信号を受信すると、認証情報を生成してユーザに認識可能に提示し、上記他の通信装置から共通のシステム情報に基づく通信により送られてくる認証情報と上記提示した認証情報による認証処理を行い、認証された上記他の通信装置に共通のシステム情報に基づく通信により新たなシステム情報を送信し、送信した新たなシステム情報を設定して当該新たなシステム情報に基づく通信を上記他の通信装置との間で行う通信制御プログラムをコンピュータにより読み取り実行可能に記憶したこと
を特徴とするプログラム記憶媒体。
【請求項１８】
上記システム情報及び上記認証情報は、ネットワーク内で共通の当該ネットワークの識別情報及び通信時の暗号化に関する暗号化情報であることを特徴とする請求項１７記載のプログラム記憶媒体。
【請求項１９】
所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置に搭載されるコンピュータにより実行される通信制御プログラムを記憶したプログラム記憶媒体であって、
送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を送信し、認証情報が入力されると、入力された認証情報を送信し、上記認証情報に基づき認証させて送られてくる新たなシステム情報を受信し、受信した新たなシステム情報を設定して当該新たなシステム情報に基づく通信を行う通信制御プログラムをコンピュータにより読み取り実行可能に記憶したこと
を特徴とするプログラム記憶媒体。
【請求項２０】
上記システム情報及び上記認証情報は、ネットワーク内で共通の当該ネットワークの識別情報及び通信時の暗号化に関する暗号化情報であることを特徴とする請求項１９記載のプログラム記憶媒体。
【手続補正２】
【補正対象書類名】明細書
【補正対象項目名】全文
【補正方法】変更
【補正の内容】
【発明の詳細な説明】
【技術分野】
【０００１】
本発明は、複数の通信装置間で無線通信を行う通信システム、通信装置、通信方法、通信制御方法、通信制御プログラム、及びプログラム記憶媒体に関する。
【背景技術】
【０００２】
近年、複数の情報処理端末で通信を行う際に、無線ＬＡＮ（Local Area Network）通信手段を用いるものがある。このような無線ＬＡＮ通信手段を用いる際に、通信する無線LANを特定するための識別情報設定、接続開始時に認証を行って、以降のデータ通信を暗号化するためのセキュリティ情報設定が必要であり、セキュリティ方式に関してはＩＥＥＥ８０２．１１規格であるＷＥＰ（Wired Equivalent Privacy）方式、またはＩＥＥＥ８０２．１１ｉ規格である事前共有鍵方式など様々なセキュリティ方式規格が従来から用いられている。
【０００３】
【特許文献１】特開２００１−３５８９６６号公報
【発明の開示】
【発明が解決しようとする課題】
【０００４】
無線通信は、電波を使用するため通信範囲を限定することが困難であり、高性能なアンテナと無線装置を用いられた場合、物理的に離れた場所から悪意をもった第３者に不正に無線通信を傍受される危険性がある。このような通信の傍受から不正にアクセスされるのを阻止するため、無線ＬＡＮ通信は、ＩＥＥＥ８０２．１１規格であるＷＥＰ（Wired Equivalent Privacy）方式、またはＩＥＥＥ８０２．１１ｉ規格である事前共有鍵方式などの規格化されたセキュリティ方式が用いられている。しかし、このような認証及び暗号方式のアルゴリズムは、悪意をもった第３者に破られる場合もあり、通信データが不正にアクセスされるという危険がある。
【０００５】
また、これらのセキュリティ方式は、無線ＬＡＮ通信を開始する前に、ユーザが予め認証・暗号化に必要な情報を、無線通信を行う双方の情報処理端末に設定しておく必要がある。さらに、通信する無線ＬＡＮを識別するためのＳＳＩＤ（Service Set Identifier）情報を双方の情報処理端末に設定しておく必要がある。よってこれらの設定を行うためには、ユーザへ必要な情報をネットワーク管理者が書類またはインターネット回線等で事前に通知しておかなければならないので、大変不便である。そこで、この不便さを解消するために、より簡単な情報設定方法が期待される。
【０００６】
本発明は、このような上述した実情に鑑みて提案されたものであり、立ち入る人物が限定されている場所において、ユーザが安全且つ容易に通信接続設定を行うことができる通信システム、通信装置、通信方法、通信制御方法、通信制御プログラム、及びプログラム記憶媒体を提供することを目的とする。
【課題を解決するための手段】
【０００７】
上述した目的を達成するために、本発明に係る通信システムは、所定のシステム情報を通信装置に設定することによって、複数の通信装置間で所定の通信規格に従った通信を行うようになされた通信システムであって、システム情報を設定して通信を可能にする第１の通信制御手段と、上記第１の通信制御手段により設定されたシステム情報に基づく通信を行う第１の通信手段と、通信を行う際の認証情報を生成する認証情報生成手段と、認証情報をユーザに認識可能に提示する認証情報提示手段と、上記認証情報提示手段により提示した認証情報に基づく認証処理を行う認証処理手段とからなる第１の通信装置と、システム情報を設定して通信を可能にする第２の通信制御手段と、上記第２の通信制御手段により設定されたシステム情報に基づく通信を行う第２の通信手段と、認証情報を入力するための認証情報入力手段とからなる第２の通信装置とを備え、上記第１の通信装置は、上記第１の通信制御手段により、送信信号の出力レベルを低下させるとともに受信信号の信号レベルが所定値よりも小さな受信データを破棄するように設定し、共通のシステム情報を設定して上記第１の通信手段を通信可能状態とし、上記第２の通信装置から共通のシステム情報に基づく通信により送られてくる接続開始を示す信号を上記第１の通信手段を介して受信すると、上記認証情報生成手段により認証情報を生成して上記認証情報提示手段によりユーザに認識可能に提示し、上記第２の通信装置から共通のシステム情報に基づく通信により上記通信手段を介して送られてくる認証情報と上記提示した認証情報による認証処理を上記認証処理手段により行い、上記認証処理手段により認証された上記第２の通信装置に共通のシステム情報に基づく通信により新たなシステム情報を上記第１の通信手段を介して送信し、送信した新たなシステム情報を設定して当該新たなシステム情報に基づく通信を上記第２の通信装置との間で上記第１の通信手段を介して行い、上記第２の通信装置は、上記第２の通信制御手段により、送信信号の出力レベルを低下させるとともに受信信号の信号レベルが所定値よりも小さな受信データを破棄するように設定し、共通のシステム情報を設定して上記第２の通信手段を通信可能状態とし、共通のシステム情報に基づく通信により接続開始を示す信号を上記第２の通信手段を介して上記第１の通信装置に送信し、上記認証情報入力手段により認証情報が入力されると、上記第２の通信手段を介して上記第１の通信装置に送信し、上記第１の通信装置により上記認証情報に基づき認証されて送られてくる新たなシステム情報を上記第２の通信手段を介して受信し、受信した新たなシステム情報を設定して当該新たなシステム情報に基づく通信を上記第１の通信装置との間で上記第２の通信手段を介して行うことを特徴とする。
【０００８】
また、本発明に係る通信装置は、所定のシステム情報を共通に設定することによって、複数の通信装置間で所定の通信規格に従った通信を行うようになされた通信システムにおける通信装置であって、システム情報を設定して通信を可能にする通信制御手段と、上記通信制御手段により設定されたシステム情報に基づく通信を行う通信手段と、通信を行う際の認証情報を生成する認証情報生成手段と、認証情報をユーザに認識可能に提示する認証情報提示手段と、上記認証情報提示手段により提示した認証情報に基づく認証処理を行う認証処理手段とを備え、上記通信制御手段は、送信信号の出力レベルを低下させるとともに受信信号の信号レベルが所定値よりも小さな受信データを破棄するように設定し、共通のシステム情報を設定して上記通信手段を通信可能状態とし、他の通信装置から共通のシステム情報に基づく通信により送られてくる接続開始を示す信号を上記通信手段を介して受信すると、上記認証情報生成手段により認証情報を生成して上記認証情報提示手段によりユーザに認識可能に提示し、上記他の通信装置から共通のシステム情報に基づく通信により上記通信手段を介して送られてくる認証情報と上記提示した認証情報による認証処理を上記認証処理手段により行い、上記認証処理手段により認証された上記他の通信装置に共通のシステム情報に基づく通信により新たなシステム情報を上記通信手段を介して送信し、送信した新たなシステム情報を設定して当該新たなシステム情報に基づく通信を上記他の通信装置との間で上記通信手段を介して行うことを特徴とする。
【０００９】
また、本発明に係る通信装置は、所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置であって、システム情報を設定して通信を可能にする通信制御手段と、上記通信制御手段により設定されたシステム情報に基づく通信を行う通信手段と、認証情報を入力するための認証情報入力手段とを備え、上記通信制御手段は、送信信号の出力レベルを低下させるとともに受信信号の信号レベルが所定値よりも小さな受信データを破棄するように設定し、共通のシステム情報を設定して上記通信手段を通信可能状態とし、共通のシステム情報に基づく通信により接続開始を示す信号を上記通信手段を介して送信し、上記認証情報入力手段により認証情報が入力されると、入力された認証情報を上記通信手段を介して送信し、上記認証情報に基づき認証されて送られてくる新たなシステム情報を上記通信手段を介して受信し、受信した新たなシステム情報を設定して当該新たなシステム情報に基づく通信を上記通信手段を介して行うことを特徴とする。
【００１０】
また、本発明に係る通信方法は、所定のシステム情報を共通に設定することによって、複数の通信装置間で所定の通信規格に従った通信を行うようになされた通信システムにおける通信方法であって、第１の通信装置は、送信信号の出力レベルを低下させるとともに受信信号の信号レベルが所定値よりも小さな受信データを破棄するように設定し、共通のシステム情報を設定して通信可能状態とし、第２の通信装置から共通のシステム情報に基づく通信により送られてくる接続開始を示す信号を受信すると、認証情報を生成してユーザに認識可能に提示し、上記第２の通信装置から共通のシステム情報に基づく通信により送られてくる認証情報と上記提示した認証情報による認証処理を行い、認証された上記第２の通信装置に共通のシステム情報に基づく通信により新たなシステム情報を送信し、送信した新たなシステム情報を設定して当該新たなシステム情報に基づく通信を上記第２の通信装置との間で行い、上記第２の通信装置は、送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を上記第１の通信装置に送信し、認証情報が入力されると、上記第１の通信装置に送信し、上記第１の通信装置により上記認証情報に基づき認証されて送られてくる新たなシステム情報を受信し、受信した新たなシステム情報を設定して当該新たなシステム情報に基づく通信を上記第２の通信装置との間で行うことを特徴とする。
【００１１】
また、本発明に係る通信制御方法は、所定のシステム情報を共通に設定することによって、複数の通信装置間で所定の通信規格に従った通信を行うようになされた通信システムにおける通信装置の通信制御方法であって、送信信号の出力レベルを低下させるとともに受信信号の信号レベルが所定値よりも小さな受信データを破棄するように設定し、共通のシステム情報を設定して通信可能状態とし、他の通信装置から共通のシステム情報に基づく通信により送られてくる接続開始を示す信号を受信すると、認証情報を生成してユーザに認識可能に提示し、上記他の通信装置から共通のシステム情報に基づく通信により送られてくる認証情報と上記提示した認証情報による認証処理を行い、認証された上記他の通信装置に共通のシステム情報に基づく通信により新たなシステム情報を送信し、送信した新たなシステム情報を設定して当該新たなシステム情報に基づく通信を上記他の通信装置との間で行うことを特徴とする。
【００１２】
また、本発明に係る通信制御方法は、所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置の通信制御方法であって、送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を送信し、認証情報が入力されると、入力された認証情報を送信し、上記認証情報に基づき認証されて送られてくる新たなシステム情報を受信し、受信した新たなシステム情報を設定して当該新たなシステム情報に基づく通信を行うことを特徴とする。
【００１３】
また、本発明に係る通信制御プログラムは、所定のシステム情報を共通に設定することによって、複数の通信装置間で所定の通信規格に従った通信を行うようになされた通信システムにおける通信装置に搭載されるコンピュータにより実行される通信制御プログラムであって、送信信号の出力レベルを低下させるとともに受信信号の信号レベルが所定値よりも小さな受信データを破棄するように設定し、共通のシステム情報を設定して通信可能状態とし、他の通信装置から共通のシステム情報に基づく通信により送られてくる接続開始を示す信号を受信すると、認証情報を生成してユーザに認識可能に提示し、上記他の通信装置から共通のシステム情報に基づく通信により送られてくる認証情報と上記提示した認証情報による認証処理を行い、認証された上記他の通信装置に共通のシステム情報に基づく通信により新たなシステム情報を送信し、送信した新たなシステム情報を設定して当該新たなシステム情報に基づく通信を上記他の通信装置との間で行う通信制御をコンピュータにより実行させることを特徴とする。
【００１４】
また、本発明に係る通信制御プログラムは、所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置に搭載されるコンピュータにより実行される通信制御プログラムであって、送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を送信し、認証情報が入力されると、入力された認証情報を送信し、上位認証情報に基づき認証されて送られてくる新たなシステム情報を受信し、受信した新たなシステム情報を設定して当該新たなシステム情報に基づく通信を行う通信制御をコンピュータにより実行させることを特徴とする。
【００１５】
また、本発明に係るプログラム記憶媒体は、所定のシステム情報を共通に設定することによって、複数の通信装置間で所定の通信規格に従った通信を行うようになされた通信システムにおける通信装置に搭載されるコンピュータにより実行される通信制御プログラムを記憶したプログラム記憶媒体であって、送信信号の出力レベルを低下させるとともに受信信号の信号レベルが所定値よりも小さな受信データを破棄するように設定し、共通のシステム情報を設定して通信可能状態とし、他の通信装置から共通のシステム情報に基づく通信により送られてくる接続開始を示す信号を受信すると、認証情報を生成してユーザに認識可能に提示し、上記他の通信装置から共通のシステム情報に基づく通信により送られてくる認証情報と上記提示した認証情報による認証処理を行い、認証された上記他の通信装置に共通のシステム情報に基づく通信により新たなシステム情報を送信し、送信した新たなシステム情報を設定して当該新たなシステム情報に基づく通信を上記他の通信装置との間で行う通信制御プログラムをコンピュータにより読み取り実行可能に記憶したことを特徴とする。
【００１６】
また、本発明に係るプログラム記憶媒体は、所定のシステム情報を共通に設定することによって、複数の通信装置間で所定の通信規格に従った通信を行うようになされた通信システムにおける認証情報提示手段により提示した認証情報に基づく認証処理を行う認証処理手段を備える通信装置との間で通信を行う他の通信装置に搭載されるコンピュータにより実行される通信制御プログラムを記憶したプログラム記憶媒体であって、送信信号の出力レベルを低下させるとともに受信信号の信号レベルが所定値よりも小さな受信データを破棄するように設定し、共通のシステム情報を設定して通信可能状態とし、共通のシステム情報に基づく通信により接続開始を示す信号を送信し、認証情報が入力されると、入力された認証情報を送信し、上記認証情報に基づき認証させて送られてくる新たなシステム情報を受信し、受信した新たなシステム情報を設定して当該新たなシステム情報に基づく通信を行う通信制御プログラムをコンピュータにより読み取り実行可能に記憶したことを特徴とする。
【発明の効果】
【００１７】
本発明に係る無線通信システムは、通信装置の送信出力を低下することで通信範囲を限定した状態で通信が開始される。このことにより、無線通信用の電波の到達範囲を限定することで、第３者によるネットワークへの不正なアクセスの危険性が低減される。さらに、無線通信システムは、通信が開始された後に、第１の通信装置が認証情報をユーザに提供し、上記認証情報をユーザが第２の通信装置に入力することにより認証が行われる。従って、電波の到達範囲を不正なアクセスから守るため十分に限定できない場合、ユーザが第１の通信装置から提供された認証情報を第２の通信装置に入力する認証方法は、上述した通信出力を低下する方法の補填的な役割を果たし、従来の無線通信規格による認証方式に対して安全にデータ通信を行うことができる。また、従来の書類またはインターネット回線等によるシステム情報の提供に対して、認証完了後に、自動的にシステム情報が共有されてデータ通信可能な状態となるので、ユーザはより簡単にシステム情報の設定を完了することが出来る。
【発明を実施するための最良の形態】
【００１８】
以下、本発明を適用した無線ＬＡＮシステムについて、図面を参照しながら詳細に説明する。
【００１９】
図１は、本発明を適用した無線ＬＡＮシステム１を示した構成図である。
【００２０】
無線ＬＡＮシステム１は、図１に示すように、無線ＬＡＮ通信手段をもつ通信装置であるベース部２と、ベース部２と無線ＬＡＮ通信手段を介して通信し、その通信データである画像データを表示するモニタ部３とから構成される。
【００２１】
なお、本実施形態では、ベース部２から画像データをモニタ部３へ送信し、モニタ部３はその画像データを表示する場合を考えているが、このような形態に限らず、音声データを通信する場合も良く、モニタ部３とスピーカとを組み合わせて使用するようにしてもよい。
【００２２】
ここで、ベース部２の構成について図２を用いて説明する。
【００２３】
ベース部２は、図２に示すように、所定の演算処理を行うＣＰＵ（Central Processing Unit）１０と、各種制御プログラム等を記憶保持するＲＯＭ（Read Only Memory）１１と、ＣＰＵ１０のワークメモリとしてのＲＡＭ（Random Access Memory）１２と、予め定められた無線ＬＡＮシステム情報を記憶するフラッシュＲＯＭ１３と、モニタ部３と通信を行う無線ＬＡＮ通信部１４と、ベース部２全体の電源のオン／オフを制御する電源制御部１５と、電源制御部１５にオン／オフ信号を入力する電源キー１６と、無線ＬＡＮ通信部１４の送信出力を制御する送信出力制御部１７と、ベース部２の所定位置に配置された設定キー１８の状態を検出するキー状態検出部１９と、無線ＬＡＮシステムの認証設定に関する情報等をユーザに対して表示するＬＥＤ（Light Emitting Diode）２０と、ＬＥＤ２０の表示を制御する表示制御部２１とを有し、これらがバス２２を介して相互に接続されている。
【００２４】
ＣＰＵ１０は、無線ＬＡＮ通信部１４から与えられるモニタ部３からの各種制御命令及び各種データ、または、ＲＯＭ１１に格納された各種プログラムに基づいて各種制御処理を実行する。
【００２５】
無線ＬＡＮ通信部１４は、設定された無線ＬＡＮシステム情報を用いてモニタ部３との間で通信が開始され、モニタ部３から送信された各種制御命令または各種データを、無線ＬＡＮ通信部１４に接続されているアンテナ２３を介して受信すると、バス２２を介してＣＰＵ１０に送出する。
【００２６】
電源制御部１５は、ベース部２の所定位置に配置された電源キー１６がユーザによって押圧操作されると、図示しない電源回路を制御して各回路に対する駆動電流の供給を開始または停止させることにより、ベース部２全体の電源をオン／オフさせる。
【００２７】
キー状態検出部１９は、設定キー１８の状態を常時監視し、該当設定キー１８がユーザによって押圧操作されると、この操作をＣＰＵ１０に通知する。この操作がＣＰＵ１０に通知されると、ＣＰＵ１０はＲＯＭ１１に格納された無線ＬＡＮシステム情報設定プログラムを読み出し、この無線ＬＡＮシステム情報設定プログラムに記述された命令に従って無線ＬＡＮシステム情報を無線ＬＡＮ通信部１４に設定する。
【００２８】
ここで、モニタ部３の構成について図３を用いて説明する。
【００２９】
モニタ部３は、図３に示すように、所定の演算処理を行うＣＰＵ３０と、各種制御プログラム等を格納するＲＯＭ３１と、ＣＰＵ３０のワークメモリとしてのＲＡＭ３２と、モニタ部３について予め定められた無線ＬＡＮシステム情報を記憶するフラッシュＲＯＭ３３と、ベース部２と通信を行う無線ＬＡＮ通信部３４と、モニタ部３全体の電源のオン／オフを制御する電源制御部３５と、電源制御部３５にオン／オフ信号を入力する電源キー３６と、無線ＬＡＮ通信部３４の送信出力を制御する送信出力制御部３７と、ＬＣＤ（Liquid Crystal Display）３８を制御する表示制御部３９と、ＬＣＤ３８に配設されたタッチパネル４０と、ユーザがタッチパネル４０を操作して得られた座標位置を検出する座標検出部４１とを有し、これらがバス４２を介して相互に接続されることにより構成されている。
【００３０】
ＣＰＵ３０は、無線ＬＡＮ通信部から与えられるベース部２からの各種制御コマンドや、ＲＯＭ３１に格納された各種プログラムに基づいて各種制御処理を実行する。
【００３１】
無線ＬＡＮ通信部３４は、設定された無線ＬＡＮシステム情報を用いてベース部２から送信された各種制御命令を、無線ＬＡＮ通信部３４に接続されているアンテナ４３を介して受信した場合には、バス４２を介してＣＰＵ３０に送出する。
【００３２】
電源制御部３５は、モニタ部３の所定位置に配設された電源キー３６がユーザによって押圧操作されたか否かを常時監視し、該当電源キー３６が押圧操作されると、図示しない電源回路を制御して各回路に対する駆動電流の供給を開始または停止させることにより、モニタ部３の電源をオン／オフさせる。
【００３３】
ＣＰＵ３０は、無線ＬＡＮ通信部３４にベース部２との接続及びデータ通信に必要な無線ＬＡＮシステム情報が設定されていない場合は、例えばＲＯＭ３１に格納された各種制御プログラムに基づく画像データを表示制御部３９に与えることにより、無線ＬＡＮシステム情報設定用の所定のＧＵＩ（Graphical User Interface）画面をＬＣＤ３８に表示させる。
【００３４】
ＬＣＤ３８にＧＵＩ画面が表示されると、ＣＰＵ３０は、無線ＬＡＮシステムを設定すべき旨の入力があったことを座標検出部４１の検出結果に基づいて認識して、ＲＯＭ３１に格納された無線ＬＡＮシステム情報設定プログラムを読み出し、この無線ＬＡＮシステム情報設定プログラムに記述された命令に従って、無線ＬＡＮシステム情報を無線ＬＡＮ通信部３４に設定する。
【００３５】
次に、ベース部２の無線ＬＡＮ通信部１４の具体的構成を図４に示す。
【００３６】
無線ＬＡＮ通信部１４は、図４に示すように、ＲＦ（Radio Frequency）／ＩＦ（Intermediate Frequency）処理部５０と、ベースバンド処理部５１と、ＭＡＣ（Media Access Control）処理部５２から構成されている。
【００３７】
まず、送信処理について説明する。ＭＡＣ処理部５２は、バス２２を介して与えられる各種データに対し、該当無線ＬＡＮシステム情報に含まれる暗号化情報に従った暗号化処理、フレームフォーマットの変換、送出タイミング制御などの所定のＭＡＣ処理５２を施し、得られたフレームデータＤ１をベースバンド処理部５１に送出する。
【００３８】
ベースバンド処理部５１は、供給されるフレームデータＤ１をＩＱ信号Ｓ１０に変調し、これをＲＦ／ＩＦ処理部５０に送出する。またベースバンド処理部５１は、ＭＡＣ処理部５２に設定されている送信出力レベルの設定値に応じた送信出力制御信号Ｓ１１をＲＦ／ＩＦ処理部５０に送出することにより、当該ＲＦ／ＩＦ処理部５０内の図示しない増幅器のゲインを当該設定値に応じた値に設定する。
【００３９】
ＲＦ／ＩＦ処理部５０は、ベースバンド処理部５１から与えられるＩＱ信号Ｓ１０を中間周波（ＩＦ）信号に変換し、さらに高周波（ＲＦ）信号にアップコンバートし、このＲＦ信号Ｓ１２を増幅処理し、アンテナ２３を介して、通信相手のモニタ部３に送信する。
【００４０】
次に、受信処理について説明する。アンテナ２３が、通信相手のモニタ部３から送信された信号を受信する。ＲＦ／ＩＦ処理部５０は、受信した高周波信号Ｓ１３を中間周波信号にダウンコンバートするとともに、この中間周波信号をさらにＩＱ信号Ｓ１４に変換してベースバンド処理部５１に送出する。またＲＦ／ＩＦ処理部５０は、図示しない内部の検波回路における検出結果を検波信号Ｓ１５としてベースバンド処理部５１に送出する。
【００４１】
ベースバンド処理部５１は、ＲＦ／ＩＦ処理部５０から与えられるＩＱ信号Ｓ１４を復調し、得られたフレームデータＤ２をＭＡＣ処理部５２へ送出するとともに、このときＲＦ／ＩＦ処理部５０から与えられる検波信号Ｓ１５に基づいて受信信号（すなわち受信した高周波信号）の強度を表すＲＳＳＩ（Received Signal Strength Indicator）値を検出し、検出結果をＲＳＳＩ値情報Ｄ３としてＭＡＣ処理部５２に送出する。
【００４２】
ＭＡＣ処理部５２は、ベースバンド処理部５１から与えられるフレームデータＤ２を当該無線ＬＡＮ通信システム情報に含まれる暗号化情報に従って復号して、必要なデータを抽出し、これを、バス２２を介して、ＣＰＵ１０などの対応するブロックに送出する。この際、無線ＬＡＮ通信部１４は、ＲＳＳＩ値情報Ｄ３に基づき認識される受信信号のＲＳＳＩ値がＣＰＵ１０またはＣＰＵ３０により予め設定された所定の値よりも小さいときに、そのフレームデータＤ２を破棄する。
【００４３】
このように無線ＬＡＮ通信部１４は、必要に応じて信号レベルの低いフレームデータを破棄しながら、通信相手と規格に応じた通信を行えるようになっている。
【００４４】
なお、モニタ部３の無線ＬＡＮ通信部３４は、上述した無線ＬＡＮ通信部１４と同様な構成をなしており、同様の送信処理及び受信処理を行う。
【００４５】
次にこの無線ＬＡＮシステム１のベース部２及びモニタ部３における無線ＬＡＮシステムの設定処理について、図５を参照して説明する。
【００４６】
無線ＬＡＮシステム１は、ベース部２の設定キー１７を押圧操作するとともにモニタ部３のＬＣＤ３８に所定のＧＵＩを表示させてタッチパネル４０を操作することによって、ベース部２とモニタ部３との間で通信を行う。無線ＬＡＮシステム情報を共有して、無線ＬＡＮ通信部１４及び無線ＬＡＮ通信部３４にそれぞれ設定する無線ＬＡＮ情報設定機能は、ベース部２及びモニタ部３にそれぞれ搭載されている。なお、図５のフロー図は、左側が無線ＬＡＮシステム情報設定プログラムの記述に応じたベース部２の動作の時間的な流れを示し、右側が無線ＬＡＮシステム情報設定プログラムの記述に応じたモニタ部３の動作の時間的な流れを示している。
【００４７】
ステップＳＴ１において、ベース部２の無線ＬＡＮ通信部１４の設定を説明する。
【００４８】
ステップＳＴ１−１において、ベース部２のＣＰＵ１０は、ユーザが無線ＬＡＮシステム情報設定プログラムを起動する目的で設定キー１８を押圧操作したことをキー状態検出部１９から通知される。
【００４９】
ステップＳＴ１−２において、ＣＰＵ１０は、キー状態検出部１９から無線ＬＡＮシステム情報設定プログラムを起動する旨が通知されると、ＲＯＭ１１から無線ＬＡＮシステム情報設定プログラムを読み出し、これをＲＡＭ１２に展開する。
【００５０】
ステップＳＴ１−３において、ＣＰＵ１０は、無線ＬＡＮシステム情報設定プログラムに記述された命令に従い、送信信号の出力レベルを予め定められた最低レベルにまで低下させるように、所定値を無線ＬＡＮ通信部１４のＭＡＣ処理部５２に設定する。
【００５１】
ステップＳＴ１−４において、ＣＰＵ１０は、無線ＬＡＮシステム情報設定プログラムに記述された命令に従い、無線ＬＡＮ通信部１４に対して受信信号の信号レベルが所定の閾値よりも小さな受信データを破棄させるように設定をする。具体的には、ＣＰＵ１０は、無線ＬＡＮ通信部１４が常時検出する受信信号のＲＳＳＩ値の下限値として、予め定められた所定値を無線ＬＡＮ通信部１４のＭＡＣ処理部５２に設定する。
【００５２】
ステップＳＴ２において、ベース部２と同様に、モニタ部３の無線ＬＡＮ通信部３４の通信設定について説明する。
【００５３】
ステップＳＴ２−１において、モニタ部３のＣＰＵ３０は、ユーザがタッチパネル４０を操作し、無線ＬＡＮシステム情報を設定する旨の情報が、座標検出部４１から通知される。
【００５４】
ステップＳＴ２−２において、座標検出部４１からの通知を認識すると、ＣＰＵ３０は、ＲＯＭ３１から無線ＬＡＮシステム情報設定プログラムを読み出し、これをＲＡＭ３２に展開する。
【００５５】
ステップＳＴ２−３において、ＣＰＵ３０は、無線ＬＡＮシステム情報設定プログラムに記述された命令に従い、送信信号の出力レベルを予め定められた最低レベルにまで低下させるように、所定値を無線ＬＡＮ通信部３４のＭＡＣ処理部５２に設定する。
【００５６】
ステップＳＴ２−４において、ＣＰＵ３０は、無線ＬＡＮシステム情報設定プログラムに記述された命令に従い、無線ＬＡＮ通信部３４に対して受信信号の信号レベルが所定の閾値よりも小さな受信データを破棄させるように設定をする。
【００５７】
このように無線ＬＡＮ通信部１４及び無線ＬＡＮ通信部３４は、設定時における送信信号の出力レベルを低下させることで、悪意のある第三者に通信を傍受されないようにする。
【００５８】
そこで、この無線ＬＡＮシステム１は、ベース部２及びモニタ部３に対して無線通信システム情報を設定する際に、ベース部２とモニタ部３とを極至近距離に位置させることを前提として、送信出力を抑えて電波が到達する距離を制限する。また、ベース部２及びモニタ部３は、至近距離から送信されたと考えられるデータのみを受信し、これ以外のデータを破棄することにより、無線ＬＡＮシステム１を設定する際の安全性を向上させ得るようになされている。
【００５９】
この結果、無線ＬＡＮ通信部１４及び無線ＬＡＮ通信部３４は、受信信号のＲＳＳＩ値を常時監視し、この値がＣＰＵ１０及びＣＰＵ３０により設定された値以上のデータのみを受信し、これ以外のデータについては破棄することとなる。
【００６０】
無線ＬＡＮ通信システム１は、無線ＬＡＮ通信部１４及び無線ＬＡＮ通信部３４において、上述した通信に関する設定が完了すると、通信を開始する。
【００６１】
ステップＳＴ３において、ベース部２のＣＰＵ１０は、ステップＳＴ１の後に、無線ＬＡＮシステム情報設定プログラムに記述された命令に従い、規格化された無線ＬＡＮシステム情報を無線ＬＡＮ通信部１４のＭＡＣ処理部５２に設定し、モニタ部３が接続するのを待機する。
【００６２】
ステップＳＴ４において、モニタ部３のＣＰＵ３０は、無線ＬＡＮシステム情報設定プログラムに記述された命令に従い、規格化された無線ＬＡＮシステム情報を無線通信部３４のＭＡＣ処理部５２に設定し、ベース部２と通信を開始する。
【００６３】
ステップＳＴ５において、ベース部２とモニタ部３との間で接続されると、ベース部２のＣＰＵ１０は、無線ＬＡＮシステム情報設定プログラムに記述された命令に従ってＬＥＤ２０を点滅させる点滅パターンを生成し、表示制御部２１に対し生成された点滅パターンを認証情報として与え、ＬＥＤ２０を点滅させる。ここで、ユーザは、ＬＥＤ２０の点滅パターンに基づく認証情報を認識する。
【００６４】
なお、ユーザに対して認証情報を認識させる方法は、ＬＥＤ２０の点滅パターンに限らず、ブザー音などを用いるようにしてもよい。
【００６５】
ステップＳＴ６において、モニタ部３のＣＰＵ３０は、無線ＬＡＮシステム情報設定プログラムに記述された命令に従い、表示制御部３９に対して、ユーザが認証情報を入力するための画面を表示させる。
【００６６】
ステップＳＴ７において、モニタ部３に認証情報設定画面が表示されると、ユーザは、ベース部２から認識した点滅パターンに基づく情報を、モニタ部３が有するタッチパネル３４等の入力手段を用いて、ＬＣＤ３８の入力画面に従って入力する。
【００６７】
ステップＳＴ８において、ＣＰＵ３０は、無線ＬＡＮシステム設定プログラムに記述された命令に従い、ユーザにより入力された認証情報をベース部２の無線ＬＡＮ通信部１４へ送信する。
【００６８】
ステップＳＴ９において、ベース部２のＣＰＵ１０は無線ＬＡＮ通信部１４を介してこの認証情報を受信すると、ＣＰＵ１０は、無線ＬＡＮシステム情報設定プログラムに記述された命令に従い、ベース部２とモニタ部３との間で認証を完了する。ここで、ベース部２のＣＰＵ１０は、ＳＴ５において生成した認証情報と、モニタ部３から受信した認証情報とを参照して認証処理をする。
【００６９】
ステップＳＴ１０において、ベース部２とモニタ部３との間で認証が完了すると、ベース部２のＣＰＵ１０は、無線ＬＡＮシステム情報設定プログラムに記述された命令に従って、新たなシステム情報を生成し、無線ＬＡＮ通信部１４を介して新たなシステム情報をモニタ部３へ送信後、新たなシステム情報を無線ＬＡＮ通信部１４のＭＡＣ処理部５２に設定する。ここで、規格化された無線ＬＡＮシステム情報が不特定多数の通信装置と通信を行う情報であるのに対して、新たなシステム情報は、ベース部２とモニタ部３との間に限定して通信を行うための情報である。
【００７０】
ステップＳＴ１１において、モニタ部３が新たなシステム情報をベース部２から受信すると、ＣＰＵ３０は、無線ＬＡＮシステム情報設定プログラムに記述された命令に従い、この情報を無線ＬＡＮ通信部３４のＭＡＣ処理部５２に設定する。
【００７１】
新たなシステム情報が無線ＬＡＮ通信部１４及び無線ＬＡＮ通信部３４のＭＡＣ処理部５２に設定されると、上述した一連のシステム情報の設定が終了し、ベース部２とモニタ部３との間で実質的なデータの通信が開始される。
【００７２】
ステップＳＴ１２において、ベース部２のＣＰＵ１０は、ステップＳＴ１０の後に、無線ＬＡＮシステム情報設定プログラムに記述された命令に従い、フラッシュＲＯＭ１３に新たなシステム情報を保存させる。
【００７３】
ステップＳＴ１３において、モニタ部３のＣＰＵ３０は、ステップＳＴ１１の後に、無線ＬＡＮシステム情報設定プログラムに記述された命令に従い、フラッシュＲＯＭ３３に認証情報を保存させる。
【００７４】
フラッシュＲＯＭ１３及びフラッシュＲＯＭ３３にシステム情報を記憶させることにより、ベース部２及びモニタ部３が再起動された場合も、接続を確立するためのシステム情報が保持されているので、無線ＬＡＮシステム１は、一度設定が完了すれば、接続に関する設定操作を行わなくても無線通信を行うことができる。
【００７５】
なお、上述の実施形態においては、ＳＴ１０においてシステム情報を新たに生成する場合について述べたが、これに限らず、例えば事前にベース部のフラッシュＲＯＭ１３に保存されているシステム情報を読み出し、それを新たなシステム情報としてモニタ部３に対して送信することによってベース部２およびモニタ部３との間で新たなシステム情報を共有し、新たなシステム情報をベース部２及びモニタ部３内においてそれぞれ無線通信部１４及び無線ＬＡＮ通信部３４に設定するようにしても良い。
【００７６】
このように、ベース部２のＬＥＤ２０が点滅したパターンに基づく情報を、ユーザがモニタ部３に入力する認証方法は、電波の到達範囲を限定する場合が困難な場合に、上述した出力レベルを低下する方法の補填的な役割を果たし、より安全に無線ＬＡＮ通信システム１の設定が行うことができる。
【００７７】
なお、本発明は上述した実施の形態のみに限定されるものではなく、本発明の要旨を逸脱しない範囲において種々の変更が可能であることは勿論である。
【図面の簡単な説明】
【００７８】
【図１】無線ＬＡＮシステムを示した概略図である。
【図２】ベース部の構成を示すブロック図である。
【図３】モニタ部の構成を示すブロック図である。
【図４】無線ＬＡＮ通信部の構成を示すブロック図である。
【図５】無線ＬＡＮシステム情報設定処理手順を示すフロー図である。
【符号の説明】
【００７９】
１  無線ＬＡＮシステム、２  ベース部、３  モニタ部、１０  ＣＰＵ、１１  ＲＯＭ、１２  ＲＡＭ、１３  フラッシュＲＯＭ、１４  無線ＬＡＮ通信部、１５  電源制御部、１６  電源キー、１７  送信出力制御部、１８  設定キー、１９  キー状態検出部、２０  ＬＥＤ、２１  表示制御部、２２  バス、２３  アンテナ、３０  ＣＰＵ、３１  ＲＯＭ、３２  ＲＡＭ、３３  フラッシュＲＯＭ、３４  無線ＬＡＮ通信部、３５  電源制御部、３６  電源キー、３７  送信出力制御部、３８  ＬＣＤ、３９  表示制御部、４０  タッチパネル、４１  座標検出部、４２  バス、４３  アンテナ